(57)【要約】【課題】  表示状態にあるにもかかわらず非表示であると誤って認識されてしまうことを防止することが可能な表示装置を提供すること。【解決手段】  複数個の画素を備えてなり該複数個の画素を表示オン／表示オフの何れかの状態にすることによって、全体として表示有り／表示なしの何れかの状態として表示するように構成された表示装置において、上記複数個の画素をグループ分けし、グループ毎に点滅のタイミングをずらすことにより、表示有りの時に複数個の画素の全てが同時に表示オフにならないようにする又は全てが表示オフになる期間を減少させるようにしたもの。【選択図】  図２
2008152437.tif 000002
【特許請求の範囲】
【請求項１】
複数個の画素を備えてなり該複数個の画素を表示オン／表示オフの何れかの状態にすることによって、全体として表示有り／表示なしの何れかの状態として表示するように構成された表示装置において、
上記複数個の画素をグループ分けし、グループ毎に点滅のタイミングをずらすことにより、表示有りの時に複数個の画素の全てが同時に表示オフにならないようにする又は全てが表示オフになる期間を減少させるようにしたことを特徴とする表示装置。
【請求項２】
請求項１記載の表示装置において、
グループ毎の表示オンの期間をオーバーラップさせるようにしたことを特徴とする表示装置。
【請求項３】
請求項１又は請求項２記載の表示装置において、
各グループの画素が表示領域において均等に配置されるようにグループ分けするようにしたことを特徴とする用表示装置。
【請求項４】
複数個の画素を備えてなり該複数個の画素を表示オン／表示オフの何れかの状態にすることによって、全体として表示有り／表示なしの何れかの状態として表示するように構成された表示装置において、
上記複数個の画素の表示オンの期間を時系列に沿って変化させるようにしたことを特徴とする表示装置。
【請求項５】
請求項１〜請求項４の何れかに記載の表示装置において、
信号機用又は警報機用又は車両のランプ用の表示装置であることを特徴とする表示装置。  
【発明の詳細な説明】
【技術分野】
【０００１】
本発明は、例えば、警報機用、信号機用、車両のランプ用として使用される表示装置に係り、特に、複数個の画素、例えば、ＬＥＤ(発光ダイオード)を表示オン／表示オフにて点滅させるものにおいて、点滅させているにもかかわらず誤って非表示であると認識されるようなことを防止することができるように工夫したものに関する。
【背景技術】
【０００２】
信号機は、例えば、図７乃至図９に示すような構成になっている。まず、信号機の全体構成は図７に示すようなものとなっている。支柱１０１があり、この支柱１０１の上部には取付用ブラケット１０３が取り付けられている。この取付用ブラケット１０３にはプレート１０５が取り付けられていて、このプレート１０５に３個の表示部１０７、１０７、１０７が設置されている。又、上記支柱１０１にはコントロールボックス１０９が設置されている。
因みに、上記３個の表示部１０７、１０７、１０７は夫々赤、青、黄色に対応するように設けられているものである。
【０００３】
上記表示部１０７は図８に示すような構成になっている。すなわち、枠体１１９の中に複数個のＬＥＤ１１１を配置した構成になっているものである。又、表面には透明なカバー１２１が取り付けられている。又、その回路構成は図９に示すようなものとなっている。図９に示すように、回路には複数個のＬＥＤ１１１とスイッチ素子１１３と電源１１５が組み込まれており、上記スイッチ素子１１３を表示制御回路１１７によって制御することにより、全てのＬＥＤ１１１を同時に表示オン／表示オフにて点滅させる構成になっているものである。
【０００４】
尚、同種の信号機を開示するものとして、例えば、特許文献１、特許文献２等がある。
【特許文献１】特開平０７−２９６２９４号公報
【特許文献２】特開平０９−２６５８０７号公報
【発明の開示】
【発明が解決しようとする課題】
【０００５】
上記従来の構成によると次のような問題があった。
すなわち、従来の信号機の場合には複数個のＬＥＤ１１１を同時に表示オン／表示オフにて点滅させているものであり、よって、信号機の表示部１０７を見るタイミングによっては点滅されているにもかかわらず非表示に見えてしまうことがある。より具体的に説明すると、例えば、ビデオカメラによって信号機の表示部１０7の状態を撮影しようとした場合、ビデオカメラのシャッター間隔と信号機の表示部１０７の表示オン／表示オフの周期が一致してしまうことがある。そのような場合には、信号機の表示部１０７が点滅しているにもかかわらず、ビデオカメラによって撮影された映像では非表示になってしまうことがある。
又、表示部１０７の表示がちらついてしまうようなことがある。
又、このような問題を解消するためには点滅ではなく常時点灯させておくことが考えられるが、それでは消費電力が増大してしまうともに発光効率が低下してしまうという問題が発生してしまうものである。
尚、この種の問題は信号機以外にも警報機や車両のランプにおいても同様にいえることである。
【０００６】
本発明はこのような点に基づいてなされたものでその目的とするところは、表示状態にあるにもかかわらず非表示であると誤って認識されてしまうことを防止することが可能な表示装置を提供することにある。
【課題を解決するための手段】
【０００７】
上記目的を達成するべく本願発明の請求項１による表示装置は、複数個の画素を備えてなり該複数個の画素を表示オン／表示オフの何れかの状態にすることによって、全体として表示有り／表示なしの何れかの状態として表示するように構成された表示装置において、上記複数個の画素をグループ分けし、グループ毎に点滅のタイミングをずらすことにより、表示有りの時に複数個の画素の全てが同時に表示オフにならないようにする又は全てが表示オフになる期間を減少させるようにしたことを特徴とするものである。
又、請求項２による表示装置は、請求項１記載の表示装置において、グループ毎の表示オンの期間をオーバーラップさせるようにしたことを特徴とするものである。
又、請求項３による表示装置は、請求項１又は請求項２記載の表示装置において、各グループの画素が表示領域において均等に配置されるようにグループ分けするようにしたことを特徴とするものである。
又、請求項４による表示装置は、複数個の画素を備えてなり該複数個の画素を表示オン／表示オフの何れかの状態にすることによって、全体として表示有り／表示なしの何れかの状態として表示するように構成された表示装置において、上記複数個の画素の表示オンの期間を時系列に沿って変化させるようにしたことを特徴とするものである。
又、請求項５による表示装置は、請求項１〜請求項４の何れかに記載の表示装置において、信号機用又は警報機用又は車両のランプ用の表示装置であることを特徴とするものである。
【発明の効果】
【０００８】
以上述べたように本願発明の請求項１による表示装置は、複数個の画素を備えてなり該複数個の画素を表示オン／表示オフの何れかの状態にすることによって、全体として表示有り／表示なしの何れかの状態として表示するように構成された表示装置において、上記複数個の画素をグループ分けし、グループ毎に点滅のタイミングをずらすことにより、表示有りの時に複数個の画素の全てが同時に表示オフにならないようにする又は全てが表示オフになる期間を減少させるようにした構成になっているので、点滅しているにもかかわらず非表示であると誤って認識されることを防止することができる。又、あくまで点滅であるので消費電力が増大してしまうようなことはない。
又、請求項２による表示装置は、請求項１記載の表示装置において、グループ毎の表示オンの期間をオーバーラップさせるようにした場合には、請求項１による効果をより確実なものとすることができる。つまり、表示オンの間隔を一部重複させているので、表示オンのタイミング切り替え時において誤って非表示であると認識されることを確実に防止できるからである。
又、請求項３による表示装置は、請求項１又は請求項２記載の表示装置において、各グループの画素が表示領域において均等に配置されるようにグループ分けするようにした場合には、何れのグループが表示オンした場合にも全体としての表示が均一なものとなる。
又、請求項４による表示装置は、複数個の画素を備えてなり該複数個の画素を表示オン／表示オフの何れかの状態にすることによって、全体として表示有り／表示なしの何れかの状態として表示するように構成された表示装置において、上記複数個の画素の表示オンの期間を時系列に沿って変化させるようにした場合には、それによっても点滅しているにもかかわらず非表示であると誤って認識されることを防止することができる。又、この場合もあくまで点滅であるので消費電力が増大してしまうようなことはない。  
又、表示装置の用途としては、例えば、信号機、警報機、車両のランプ等が考えられる。
【発明を実施するための最良の形態】
【０００９】
以下、図１乃至図３を参照して本発明の第１の実施の形態を説明する。この実施の形態は本願発明を信号機の表示装置に適用した例を示すものである。図１は本実施の形態による信号機の表示部１の構成を示す正面図である。まず、枠体３があり、この枠体３内には複数個のＬＥＤ５ａ、５ｂが収容・配置されている。この実施の形態の場合には複数個のＬＥＤを２個のグループにグループ分けしているものであり、一方のグループＡに所属するＬＥＤがＬＥＤ５ａ（図１中○で示す）であり、他方のグループＢに所属するＬＥＤがＬＥＤ５ｂ（図１中●で示す）である。上記ＬＥＤ５ａとＬＥＤ５ｂは全体において夫々均等に配置されるようにグループ分けされている。又、枠体３の前面には透明な蓋体7が取り付けられている。
【００１０】
次に、回路の構成を図２を参照して説明する。図２に示すように、既に説明した複数個のＬＥＤ５ａによってグループＡが構成されていて、複数個のＬＥＤ５ｂによってグループＢが構成されている。又、上記グループＡにはグループＡ用のスイッチ素子１１が接続されており、同様に、上記グループＢにはグループＢ用のスイッチ素子１３が接続されている。これらスイッチ素子１１、１３は表示制御回路１５と反転回路１７とによって制御されるように構成されている。
【００１１】
具体的には、表示制御回路１５よりグループＡに所属する複数個のＬＥＤ５ａを「表示オン」させる信号が出力されると、グループＢに所属する複数個のＬＥＤ５ｂに対しては反転回路１７によって反転されるために「表示オフ」となる信号が出力される。このようにグループＡに所属する複数個のＬＥＤ５ａが「表示オン」しているときには、グループＢに所属する複数個のＬＥＤ５ｂは「表示オフ」となり、それを交互に繰り返すことになる。
【００１２】
その様子を図３に示す。図３はグループＡに所属する複数個のＬＥＤ５ａの表示オン／表示オフのタイミングとグループＢに所属する複数個のＬＥＤ５ｂの表示オン／表示オフのタイミングを時系列に沿って示すタイミングチャートである。図３に示すように、グループＡに所属する複数個のＬＥＤ５ａが表示オンしているときには、グループＢに所属する複数個のＬＥＤ５ｂは表示オフとなり、それを交互に繰り返すことになる。
【００１３】
以上本実施の形態によると次のような効果を奏することができる。
まず、点滅時において、グループＡに属する複数個のＬＥＤ５ａか或いはグループＢに属する複数個のＬＥＤ５ｂの何れかが表示オン状態にあるので、表示有りの時に複数個のＬＥＤ５ａ、５ｂの全てが同時に表示オフになることはなく、よって、誤って非表示として認識されることを防止することができる。
又、常時表示させるような構成ではなくあくまで点滅であるので、表示部１における消費電力が増大してしまうようなこともない。
又、構成も極めて簡単である。すなわち、複数個のＬＥＤをグループ分けして交互に表示させるためのスイッチ素子１１（１３）と反転回路１７が追加されるだけであるからである。
【００１４】
次に、図４を参照して本発明の第２の実施の形態を説明する。前記第１の実施の形態の場合には、グループＡに属する複数個のＬＥＤ５ａが表示オンしているタイミングとグループＢに属する複数個のＬＥＤ５ｂが表示オンしているタイミングが一部重複するようなことはないが、この実施の形態の場合にはそれを一部重複させるようにしたものである。図４中重複している部分を符号ａ、ｂ、ｃで示す。
その他の構成は前記第１の実施の形態の場合と同様であり、よって、その説明は省略する。
【００１５】
したがって、前記第１の実施の形態の場合と同様の効果を奏することができるとともに、グループＡに属する複数個のＬＥＤ５ａが表示オンしているタイミングとグループＢに属する複数個のＬＥＤ５ｂが表示オンしているタイミングが一部重複しているので、表示オンのタイミングの切り替え時に非表示のタイミングが不用意に発生してしまうことを防止することができ、それによって、前記第１の実施の形態において説明した効果をより確実なものとすることができる。
【００１６】
次に、図５を参照して本発明の第３の実施の形態を説明する。前記第１、第２実施の形態の場合には、ＬＥＤを二つのグループにグループ分けした場合を例に挙げて説明したが、この第３の実施の形態の場合には三つのグループ、すなわち、グループＡ、グループＢ、グループＣにグループ分けした場合を例に挙げて説明するものである。又、少なくとも、二つのグループの表示オンのタイミングを一部重複させているものである。その部分を符号ｄ、ｅ、ｆ、ｇ、ｈで示す。
【００１７】
したがって、前記第１、第２の実施の形態の場合と同様の効果を奏することができる。又、前記第２の実施の形態の場合には、表示オンの期間を一部重複させるために表示オンの期間を長くする必要があったが、この第３の実施の形態のように、３つ以上のグループ分けを行うことにより、表示オンの期間を長くさせることなく所望の重複状態を提供することができるものである。
【００１８】
次に、図６を参照して本発明の第４の実施の形態を説明する。この場合にはＬＥＤの表示オンのタイミングに時系列に沿って変化を持たせるようにしたものである。このような構成によっても同様の効果を奏することができる。例えば、ビデオカメラによって信号機の表示部１の状態を撮影しようとした場合、ビデオカメラのシャッター間隔と信号機の表示部１の表示オン／表示オフの周期が一致してしまうようなことがないからである。
【００１９】
尚、本発明は前記第１〜第４の実施の形態に限定されるものではない。
例えば、前記第１〜第４の実施の形態の場合には、信号機の表示部を例に挙げて説明したが、それはあくまで一例であり、警報機用の表示装置や車両のランプに対しても同様に適用可能である。
又、グループ分けする場合において幾つのグループに分けるかについてはこれを特に限定するものではない。
又、前記各実施の形態の場合には、表示有りの時に複数個の画素の全てが同時に表示オフにならないようにする場合を例に挙げて説明しているが、全てが表示オフになる期間を減少させるようにした構成についても本願発明の範囲である。
【図面の簡単な説明】
【００２０】
【図１】本発明の第１の実施の形態を示す図で、信号機の表示部の表面を示す正面図である。
【図２】本発明の第１の実施の形態を示す図で、信号機の回路の構成を示す回路構図である。
【図３】本発明の第１の実施の形態を示す図で、グループ毎の表示オン／表示オフのタイミングを示すタイミングチャートである。
【図４】本発明の第２の実施の形態を示す図で、グループ毎の表示オン／表示オフのタイミングを示すタイミングチャートである。
【図５】本発明の第３の実施の形態を示す図で、グループ毎の表示オン／表示オフのタイミングを示すタイミングチャートである。
【図６】本発明の第４の実施の形態を示す図で、表示オン／表示オフのタイミングを示すタイミングチャートである。
【図７】従来例の説明に使用した図で、信号機の外観を示す正面図である。
【図８】従来例の説明に使用した図で、信号機の表示部の表面の構成を示す正面図である。
【図９】従来例を示す図で、信号機の回路の構成を示す回路構成図である。
【符号の説明】
【００２１】
１  表示部
３  枠体
５ａ  グループＡに所属するＬＥＤ
５ｂ  グループＢに所属するＬＥＤ
１１  スイッチ素子
１３  スイッチ素子
１５  表示制御回路
１７  反転回路
【図１】
2008152437.tif 000003
【図２】
2008152437.tif 000004
【図３】
2008152437.tif 000005
【図４】
2008152437.tif 000006
【図５】
2008152437.tif 000007
【図６】
2008152437.tif 000008
【図７】
2008152437.tif 000009
【図８】
2008152437.tif 000010
【図９】
2008152437.tif 000011